(57)【特許請求の範囲】
【請求項１】
ボックス本体と固定部材とを備え、
前記ボックス本体は、壁の裏側に配管される管体が引き込まれる引込口と、前記壁に形成された壁孔から前記壁の表側に臨む開口とを備え、
前記固定部材は、前記壁の裏側において造営材の被固定部に固定される固定部と、前記ボックス本体を支持する支持部とを備え、
前記支持部は、前記ボックス本体を前記壁に沿う方向に回動可能に支持し、
前記ボックス本体は、そのボックス本体の回動を前記壁の表側から操作すべく、その壁の表側に臨む操作部を備えることを特徴とする、配管ボックス。
【請求項２】
前記固定部材には、前記ボックス本体の回動を所定範囲に規制する規制部が設けられていることを特徴とする、請求項１に記載の配管ボックス。
【請求項３】
前記固定部が固定される前記被固定部は、前記壁の裏面であることを特徴とする、請求項１または２に記載の配管ボックス。
【請求項４】
前記引込口には、前記管体が挿入されるところの鞘管が接続される鞘管接続部が設けられていることを特徴とする、請求項１ないし３のいずれか１項に記載の配管ボックス。
【請求項５】
前記壁の表側から前記操作部に係合して、前記ボックス本体の回動を操作する操作体を備えることを特徴とする、請求項１ないし４のいずれか１項に記載の配管ボックス。
【請求項６】
前記操作体は、前記ボックス本体に取り付けられることで、前記ボックス本体とで前記壁を挟持する挟持部を備えることを特徴とする、請求項５に記載の配管ボックス。
【請求項７】
前記ボックス本体の前記開口は、引き込まれた前記管体を前記壁の表側に引き出すための開口となっていることを特徴とする、請求項１ないし６のいずれか１項に記載の配管ボックス。
【請求項８】
前記ボックス本体には、引き込まれた前記管体が接続される継手を収納する収納空間が設けられていることを特徴とする、請求項１ないし５のいずれか１項に記載の配管ボックス。
【発明の詳細な説明】
【技術分野】
【０００１】
この発明は、壁裏の管体が引き込まれて壁表に臨む配管ボックスに関するものである。
【背景技術】
【０００２】
従来、配管ボックスとして、例えば内部に継手が収納される水栓用ボックスがあった（例えば、特許文献１参照）。図１５に示すように、この水栓用ボックス５１は、壁５０の裏側に配備されるボックスであって、ボックス本体５２と、鞘管５３が接続される鞘管接続部５４とを備えていた。ここにおいて、ボックス本体５２には、壁孔５０ａを通じて壁５０の表側に臨む開口５５が形成されていた。そして、この水栓用ボックス５１には、ボックス本体５２内に継手５６が収納されて固定された。そこで、継手５６の一方の接続口５６ａには、鞘管５３内を通ってボックス本体５２内に導かれた通水管５７が接続され、もう一方の接続口５６ｂは、ボックス本体５２の開口５５および壁孔５０ａを通って壁５０の表側に露出していた。そして、図示を省略するが、この接続口５６ｂに、水栓の雄ねじ部がねじ込まれて接続された。
【０００３】
【特許文献１】特開２００５−２２０６２０
【発明の開示】
【発明が解決しようとする課題】
【０００４】
ところで、前記従来の水栓用ボックス５１にあっては、ボックス本体５２内に収納された継手５６の接続口５６ｂに水栓（図示せず）を接続するにあたって、水栓の雄ねじ部にシールテープを巻き付けて、その雄ねじ部を継手５６の接続口５６ｂにねじ込んで取り付けていた。しかし、水栓の向きがずれている場合には、水栓を取り外して、水栓の雄ねじ部に巻き付けるシールテープの長さを調節し、再度、その雄ねじ部を継手５６の接続口５６ｂにねじ込んで取り付ける必要があり、大変面倒であった。そこで、本発明者は、水栓の向きを、継手５６およびボックス本体５２と一体に調節できれば、水栓の再度の取り付けが必要なくなるのではないかと考えるに至った。
【０００５】
この発明は、上記した従来の欠点を解決するためになされたものであり、その目的とするところは、壁の表側から向きを調節することができる配管ボックスを提供することにある。
【課題を解決するための手段】
【０００６】
この発明に係る配管ボックスは、前記目的を達成するために、次の構成からなる。すなわち、
請求項１に記載の発明に係る配管ボックスは、ボックス本体と固定部材とを備える。ここで、前記ボックス本体は、壁の裏側に配管される管体が引き込まれる引込口と、前記壁に形成された壁孔から前記壁の表側に臨む開口とを備える。また、前記固定部材は、前記壁の裏側において造営材の被固定部に固定される固定部と、前記ボックス本体を支持する支持部とを備える。そして、前記支持部は、前記ボックス本体を前記壁に沿う方向に回動可能に支持する。そこで、前記ボックス本体は、そのボックス本体の回動を前記壁の表側から操作すべく、その壁の表側に臨む操作部を備える。
【０００７】
この配管ボックスを壁に取り付けるには、壁の裏側から、固定部材の支持部が、ボックス本体を壁に沿う方向に回動可能に支持するようにして、固定部材の固定部を、造営材の被固定部に固定する。その後、必要に応じて、壁の表側から、ボックス本体の操作部を操作することで、そのボックス本体を壁に沿う方向に回動させてその向きを調節する。
【０００８】
また、請求項２に記載の発明に係る配管ボックスは、請求項１に記載の配管ボックスにおいて、前記固定部材には、前記ボックス本体の回動を所定範囲に規制する規制部が設けられている。
【０００９】
また、請求項３に記載の発明に係る配管ボックスは、請求項１または２に記載の配管ボックスにおいて、前記固定部が固定される前記被固定部は、前記壁の裏面である。
【００１０】
また、請求項４に記載の発明に係る配管ボックスは、請求項１ないし３のいずれか１項に記載の配管ボックスにおいて、前記引込口には、前記管体が挿入されるところの鞘管が接続される鞘管接続部が設けられる。
【００１１】
また、請求項５に記載の発明に係る配管ボックスは、請求項１ないし４のいずれか１項に記載の配管ボックスにおいて、前記壁の表側から前記操作部に係合して、前記ボックス本体の回動を操作する操作体を備える。これにより、ボックス本体の回動を操作するには、操作部に操作体を係合させてその操作体を操作することで、ボックス本体を容易に回動することができる。
【００１２】
また、請求項６に記載の発明に係る配管ボックスは、請求項５に記載の配管ボックスにおいて、前記操作体は、前記ボックス本体に取り付けられることで、前記ボックス本体とで前記壁を挟持する挟持部を備える。このように、ボックス本体と挟持部とで壁を挟持することで、ボックス本体と操作体とが壁に固定されて、ボックス本体の回動が止められる。
【００１３】
また、請求項７に記載の発明に係る配管ボックスは、請求項１ないし６のいずれか１項に記載の配管ボックスにおいて、前記ボックス本体の前記開口は、引き込まれた前記管体を前記壁の表側に引き出すための開口となっている。
【００１４】
また、請求項８に記載の発明に係る配管ボックスは、請求項１ないし５のいずれか１項に記載の配管ボックスにおいて、前記ボックス本体には、引き込まれた前記管体が接続される継手を収納する収納空間が設けられる。
【発明の効果】
【００１５】
この発明に係る配管ボックスによれば、ボックス本体が固定部材に支持されて壁に沿う方向に回動可能となるとともに、そのボックス本体の回動を操作するための操作部が壁の表側に臨むため、壁の表側から、操作部を操作してボックス本体の向きを調節することができる。
【発明を実施するための最良の形態】
【００１６】
以下、この発明に係る配管ボックスを実施するための最良の形態を図面に基づいて説明する。
【００１７】
図１〜図４は、本発明の第一の実施の形態を示す。図中符号３は、建造物の壁である。４は、例えば可撓性を備えた給水管からなる管体であって、前記壁３の裏側に配管される。５は、配管ボックスであって、前記管体４が接続される継手としてのエルボー２２を収納するとともに、そのエルボー２２を壁３の表側に臨ませるためのものである。
【００１８】
ここで、配管ボックス５は、ボックス本体６と固定部材７とを備えている。ボックス本体６は、前記壁３の裏側に配管される管体４が引き込まれる引込口６ａと、前記壁３に形成された壁孔３ａから壁３の表側に臨む開口６ｂとを備える。そして、ボックス本体６には、引き込まれた前記管体４が接続される前記エルボー２２を収納する収納空間６ｅが設けられている。一方、固定部材７は、前記壁３の裏側において造営材の被固定部（図示実施の形態においては、壁３の裏面３ｂ）に固定される固定部７ａと、ボックス本体６を支持する支持部７ｂとを備える。そして、支持部７ｂは、ボックス本体６を壁３に沿う方向に回動可能に支持する。そこで、ボックス本体６は、そのボックス本体６の回動を壁３の表側から操作すべく、その壁３の表側に臨む操作部６ｃを備える。そして、配管ボックス５は、壁３の表側から前記操作部６ｃに係合して、ボックス本体６の回動を操作する操作体８を備えている。
【００１９】
具体的には、ボックス本体６は、前記収納空間６ｅを形成すべく中空箱状に形成された本体部９と、その本体部９から円形鍔状に張り出した張出部１０とからなる。そして、本体部９における一端側に、前記引込口６ａが設けられ、他端側に、前記開口６ｂが設けられている。ここにおいて、引込口６ａには、管体４が挿入されるところの鞘管１１が接続される鞘管接続部６ｄが設けられている。また、ボックス本体６（詳細には、本体部９）の開口６ｂは、壁３の裏側から壁孔３ａに嵌まるように突出形成されるとともに、内周面に雌ねじ部９ａが形成されて、ボックス本体６の回動を操作する前記操作部６ｃともなっている。また、張出部１０は、開口６ｂの基端に設けられて、壁３の裏面３ｂに対向位置する。
【００２０】
固定部材７は、略コの字もしくはＣの字に形成されている。そこで、固定部材７は、そのほぼ全体が、板状に形成されて、前記固定部７ａとなる。そして、この固定部７ａに、固定用のビス１２が挿入される固定孔（図示せず）が明けられている。また、固定部材７は、その内周側が、円弧状に形成されて、前記支持部７ｂとなる。この支持部７ｂは、ボックス本体６における張出部１０を支持するよう、張出部１０の外周面と対向する第１支持部７ｄと、張出部１０の後面（つまり、壁３とは反対側の面）と対向する第２支持部７ｅとからなる。こうして、固定部材７がボックス本体６を支持することで、ボックス本体６は、壁３に沿う方向に回動可能となる。
【００２１】
操作体８は、リング状のロックリング２３からなる。このロックリング２３は、ボックス本体６に収納されるエルボー２２の鍔部（図示せず）を抑えるように、開口６ｂ（操作部６ｃ）の雌ねじ部９ａにねじ込まれて係合し、これによって、ロックリング２３（操作体８）とボックス本体６とエルボー２２とが一体化される。そこで、このロックリング２３からなる操作体８を操作（回動操作）することで、ボックス本体６を壁３に沿う方向に回動することができる。図示実施の形態においては、ロックリング２３（操作体８）と一体化されたエルボー２２には、水栓等の給水器具２４が取り付け固定されるため、この給水器具２４を操作（回動操作）して、その給水器具２４とともに、エルボー２２およびロックリング２３（操作体８）、ひいてはボックス本体６を回動することができる。
【００２２】
ところで、エルボー２２は、その大半が、ボックス本体６の内部に収納される。このエルボー２２の鉛直下方に延びる一方の接続口２２ｂは、ボックス本体６内に位置して、その接続口２２ｂには、引込口６ａから引き込まれた管体４が接続される。そして、エルボー２２の水平方向に延びるもう一方の接続口２２ｃは、その先端部分がボックス本体６の開口６ｂから外部に露出する。そして、この接続口２２ｃには、内周面の雌ねじ部２２ｄに、水栓等の給水器具２４がねじ込まれて取り付けられる。こうして、管体４を通ってエルボー２２に流れる水や湯が、接続口２２ｃから水栓等の給水器具２４に供給される。
【００２３】
また、エルボー２２には、その接続口２２ｃに化粧リング２５が嵌められ、そして、接続口２２ｃの外周面に形成された雄ねじ部２２ｅにロックナット２６がねじ込まれる。そして、このねじ込みにより、化粧リング２５がボックス本体６（詳細には、張出部１０）とで壁３を挟持し、これによって、ボックス本体６が壁３に固定されて、ボックス本体６の回動が止められる。なお、図中符号２７は、ロックナット２６を覆う化粧カバーである。
【００２４】
次に、以上の構成からなる配管ボックス５の作用効果について説明する。この配管ボックス５を壁３に取り付けるには、壁３の裏側から、固定部材７の支持部７ｂが、ボックス本体６を壁３に沿う方向に回動可能に支持するようにして、固定部材７の固定部７ａを、造営材の被固定部（図示実施の形態においては、壁３の裏面３ｂ）にビス１２、１２を用いて固定する。そして、管体４を、ボックス本体６内に引込口６ａから引き込み、開口６ｂから引き出す。次いで、管体４の先端部分をエルボー２２の一方の接続口２２ｂに接続し、管体４をボックス本体６内に戻すようにして、エルボー２２をボックス本体６の収納空間６ｅに収納する。そして、ロックリング２３を開口６ｂ（操作部６ｃ）の雌ねじ部９ａにねじ込み、エルボー２２のもう一方の接続口２２ｃに化粧リング２５を嵌め、その接続口２２ｃの雄ねじ部２２ｅにロックナット２６をねじ込む。次いで、給水器具２４における、被接続部としての雄ねじ部２４ａにシールテープ（図示せず）を巻き付けて、その雄ねじ部２４ａを、エルボー２２における接続口２２ｃの内周面に形成された雌ねじ部２２ｄにねじ込んで、給水器具２４をエルボー２２に取り付ける。
【００２５】
その後、必要に応じて、すなわち給水器具２４の向きがずれている場合には（図３参照）、ロックナット２６を緩めて、壁３の表側から、ボックス本体６の操作部６ｃを操作（詳細には、回動操作）することで、そのボックス本体６を給水器具２４とともに壁３に沿う方向に回動させてその向きを調節する（図４参照）。もっとも、図示実施の形態においては、ボックス本体６の回動を操作するにあたって、操作部６ｃにはロックリング２３（操作体８）が係合し、ロックリング２３（操作体８）とボックス本体６とエルボー２２、そして給水器具２４とが一体化されているため、ロックリング２３（操作体８）を操作することで（詳細には、給水器具を介してロックリング２３（操作体８）を操作することで）、ボックス本体６を容易に回動することができる。このように、この配管ボックス５によると、ボックス本体６が固定部材７に支持されて壁３に沿う方向に回動可能となるとともに、そのボックス本体６の回動を操作するための操作部６ｃが壁３の表側に臨むため、壁３の表側から、操作部６ｃを操作（詳細には、給水器具２４およびロックリング２３（操作体８）を介して、操作部６ｃを回動操作）してボックス本体６とともに給水器具２４の向きを調節することができる。
【００２６】
こうして、給水器具２４の向きを調節した後に、再びロックナット２６をエルボー２２の雄ねじ部２２ｅにねじ込み、エルボー２２とともに給水器具２４およびボックス本体６を固定する。そして、化粧カバー２７をロックナット２６に被せる。
【００２７】
図５〜図１０は、本発明の第二の実施の形態を示す。図中符号１は、ユニットバス等の浴室である。２は、浴室１内をミストサウナ空間とするために、浴室１の天井壁に配備されたミストサウナ装置である。３は、建造物の壁であって、図示実施の形態においては、浴室１の壁である。４は、例えば可撓性を備えたドレン管からなる管体であって、ミストサウナ装置２の不用水を排出するために、浴室１の壁３の裏側に配管される。５は、配管ボックスであって、例えば、前記管体４を前記壁３の裏側から浴室１内に導くためのものである。
【００２８】
ここで、配管ボックス５は、ボックス本体６と固定部材７とを備えている。ボックス本体６は、前記壁３の裏側に配管される管体４が引き込まれる引込口６ａと、前記壁３に形成された壁孔３ａから壁３の表側（図示実施の形態においては、浴室１内）に臨む開口６ｂとを備える。そして、この開口６ｂは、引き込まれた管体４を壁３の表側に引き出すための開口となっている。一方、固定部材７は、前記壁３の裏側において造営材の被固定部（図示実施の形態においては、壁３の裏面３ｂ）に固定される固定部７ａと、ボックス本体６を支持する支持部７ｂとを備える。そして、支持部７ｂは、ボックス本体６を壁３に沿う方向に回動可能に支持する。そこで、ボックス本体６は、そのボックス本体６の回動を壁３の表側から操作すべく、その壁３の表側に臨む操作部６ｃを備える。
【００２９】
また、配管ボックス５は、壁３の表側から前記操作部６ｃに係合して、ボックス本体６の回動を操作する操作体８を備えている。そして、この操作体８は、ボックス本体６に取り付けられることで、ボックス本体６とで壁３を挟持する挟持部８ａを備える。
【００３０】
具体的には、ボックス本体６は、内部を管体４が通るように中空筒状に形成された本体部９と、その本体部９から円形鍔状に張り出した張出部１０とからなる。そして、本体部９における一端側に、前記引込口６ａが設けられ、他端側に、前記開口６ｂが設けられる。ここにおいて、引込口６ａには、管体４が挿入されるところの鞘管１１が接続される鞘管接続部６ｄが設けられている。また、ボックス本体６（詳細には、本体部９）の開口６ｂは、壁孔３ａを通って壁３の裏側から表側に渡るように突出形成されて、その突出側から見て縦長形状をしている。そして、この開口６ｂは、ボックス本体６の回動を操作する前記操作部６ｃともなっている。また、張出部１０は、開口６ｂの基端に設けられて、外縁側が、壁孔３ａの周縁部裏面に対向位置し、その内側には、壁孔３ａに係合するように若干突出して形成された凸段部１０ａが設けられている（図６、図９参照）。
【００３１】
固定部材７は、例えば、略コの字もしくはＣの字に形成されている。そこで、固定部材７は、そのほぼ全体が、板状に形成されて、前記固定部７ａとなる。そして、この固定部７ａに、固定用のビス１２が挿入される固定孔（図示せず）が明けられている。また、固定部材７は、その内周側が、円弧状に形成されて、前記支持部７ｂとなる。この支持部７ｂは、ボックス本体６における張出部１０を支持するよう、張出部１０の外周面と対向する第１支持部７ｄと、張出部１０の後面（つまり、壁３とは反対側の面）と対向する第２支持部７ｅと、張出部１０の前面（詳細には、一段下がるように壁３側の面に形成された凹段部１０ｂ）と対向する第３支持部７ｆとからなる（図９参照）。こうして、固定部材７がボックス本体６を支持することで、ボックス本体６は、壁３に沿う方向に回動可能となる。ここにおいて、固定部材７には、ボックス本体６の回動を所定範囲に規制する規制部７ｇが設けられている。図示実施の形態においては、ボックス本体６における本体部９は、固定部材７のコの字もしくはＣの字の開口部７ｈ（図示実施の形態においては、上下方向に開口する開口部７ｈ）を通って、コの字もしくはＣの字の内外に渡って延びており、このコの字もしくはＣの字の、開口部７ｈに面する端面が、本体部９と対向することで前記規制部７ｇとなっている。
【００３２】
操作体８は、管体４を所要の方向（図示実施の形態においては、斜め下方）に導く案内部材ともなっている。この操作体８は、第１部材１３と第２部材１４とからなり、これら第１部材１３と第２部材１４とがビス１５により互いに連結されている。第１部材１３は、ボックス本体６の開口６ｂ（操作部６ｃ）に嵌合するようにして係合する係合部１３ａと、その係合部１３ａの内側に形成されて管体４が通る筒部１３ｂと、係合部１３ａから鍔状に張り出した張出部１３ｃとからなる。ここで、筒部１３ｂの内側は、口元側（前側）が径大に形成された径大部１３ｄとなって、この径大部１３ｄに、管体４との間を止水する第１パッキン１６と、管体４が後方に戻るのを制止する爪を備えた止め部材１７が挿入される。また、張出部１３ｃは、その外縁部が、前記挟持部８ａとなって、壁孔３ａの周縁部前面と対向位置する。そして、この挟持部８ａには、壁孔３ａの周縁部との間を止水する第２パッキン１８が設けられる。第２部材１４は、管体４が挿入されるように筒形状に形成されて、前端部には、前壁１４ａを有し、その前壁１４ａの後側には、下方に開口する通孔１４ｂが設けられている。そして、第２部材１４は、その後端部分が第１部材１３の径大部１３ｄに挿入されるようにして、第１部材１３に組み付けられて、止め部材１７および第１パッキン１６を抜け止めする。
【００３３】
この操作体８は、第１部材１３の張出部１３ｃに明けられた孔１３ｅを通ってボックス本体６の凸段部１０ａの後方に設けられたナット１０ｃにねじ込まれるビス１９、１９により、ボックス本体６に取り付けられる。そして、この取り付けによって、挟持部８ａがボックス本体６（詳細には、ボックス本体６の張出部１０）とで壁３を挟持する。もっとも、図示実施の形態においては、挟持部８ａと壁３との間には、第２パッキン１８が設けられているため、壁３を挟持するにあたっては、この第２パッキン１８を介すこととなる。
【００３４】
また、操作体８には、その操作体８を前面から覆う化粧カバー２０が取り付けられる。そして、この化粧カバー２０の下面には、第２部材１４の通孔１４ｂと連通するように、通孔２０ａが明けられている。このようにして、配管ボックス５は構成されて、上方から、引込口６ａを通ってボックス本体６内に進入した管体４は、案内部材ともなる操作体８により斜め下方に導かれる。そして、管体４の先端部開口が、操作体８内に位置して、操作体８の通孔１４ｂおよび化粧カバー２０の通孔２０ａを通して外部に臨んでいる。そこで、ミストサウナ装置２からの不用水は、管体４を通って降下し、操作体８の通孔１４ｂおよび化粧カバー２０の通孔２０ａを通って壁３の表側となる浴室１内に排出される。図示実施の形態においては、配管ボックス５が取り付けられる壁孔３ａは、浴室１の洗い場におけるカウンター１ａの下に設けられており、ミストサウナ装置２からの不用水は、このカウンター１ａの下に排出されることとなる。なお、図中符号１ｂは、浴槽である。
【００３５】
次に、以上の構成からなる配管ボックス５の作用効果について説明する。この配管ボックス５を壁３に取り付けるには、壁３の裏側、つまり浴室１の外側から、固定部材７の支持部７ｂが、ボックス本体６を壁３に沿う方向に回動可能に支持するようにして、固定部材７の固定部７ａを、造営材の被固定部（図示実施の形態においては、壁３の裏面３ｂ）にビス１２、１２を用いて固定する。そして、管体４を、ボックス本体６内に引込口６ａから引き込み、開口６ｂから引き出す。次いで、管体４の先端部分を操作体８に挿入するようにして操作体８を管体４に取り付け、その操作体８をボックス本体６の開口６ｂ（操作部６ｃ）に係合させる。
【００３６】
その後、必要に応じて、すなわちボックス本体６の向きがずれている場合には、浴室１の内側（壁３の表側）から、ボックス本体６の操作部６ｃを操作（詳細には、回動操作）することで、そのボックス本体６を壁３に沿う方向に回動させてその向きを調節する。もっとも、図示実施の形態においては、ボックス本体６の回動を操作するにあたって、操作部６ｃには操作体８が係合しているため、この操作体８を操作することで、ボックス本体６を容易に回動することができる。このように、この配管ボックス５によると、ボックス本体６が固定部材７に支持されて壁３に沿う方向に回動可能となるとともに、そのボックス本体６の回動を操作するための操作部６ｃが壁３の表側に臨むため、浴室１の内側（壁３の表側）から、操作部６ｃを操作（詳細には、操作体８を介して、操作部６ｃを回動操作）してボックス本体６の向きを調節することができる。また、このとき、固定部材７に、前記ボックス本体６の回動を所定範囲に規制する規制部７ｇが設けられているため、ボックス本体６が所定範囲を越えて不用意に回動するのを防ぐことができる。
【００３７】
次に、操作体８をボックス本体６に、ビス１９、１９を用いて取り付け固定する。このように、操作体８をボックス本体６に取り付けることで、ボックス本体６の張出部１０と操作体８の挟持部８ａとで壁３を挟持し、これによって、ボックス本体６と操作体８とが壁３に固定されて、ボックス本体６の回動が止められる。その後、操作体８に化粧カバー２０を取り付け、管体４の配管作業が完了する。
【００３８】
図１１〜図１４は、本発明の第三の実施の形態を示す。この実施の形態は、第二の実施の形態とは、壁孔３ａの位置、操作体８における第２部材１４の形状が異なるが、他はほぼ同様であり、以下に、同様の機能を有する部位には同一の符号を付して、異なる部分を主に説明する。
【００３９】
壁孔３ａは、浴室１の壁３の浴槽１ｂがある側に設けられている。そして、操作体８における第２部材１４は、管体４が通されるように両端が開口する筒形状に形成されて、その前端側には、端部１４ｃとの繋ぎ部１４ｄを残して切り欠かれた切欠き部１４ｅが形成されている。そこで、上方から、引込口６ａを通ってボックス本体６内に進入した管体４は、案内部材ともなる操作体８により斜め下方に導かれるとともに、先端部分が所要の位置に配備されるように、操作体８から引き出される。図示実施の形態においては、管体４は、操作体８から突出して、先端部分が浴槽１ｂ下部の排水口１ｃ付近に位置している。そして、操作体８（詳細には、第２部材１４）の繋ぎ部１４ｄが管体４とともに、ホースバンド２１で締め付けられることで、管体４は、操作体８、つまりは配管ボックス５に対して固定される。こうして、管体４が配設されることで、ミストサウナ装置２からの不用水は、管体４を通って降下し、浴室１内の浴槽１ｂ下部に排出され、排水口１ｃを通って外部に排水される。そして、この配管ボックス５の作用効果は、第二の実施の形態に示す配管ボックス５と同様であるが、操作体８には、化粧カバー２０は取り付けられない。
【００４０】
なお、本発明は、上述した実施の形態に限定されるわけではなく、その他種々の変更が可能である。例えば、固定部材７の固定部７ａが固定される造営材は、壁３でなくとも、柱とか胴縁等であってもよい。
【００４１】
また、第一の実施の形態において、継手は、エルボー２２からならなくとも、直状の継手等、その他の形状の継手であってもよい。
【００４２】
また、第二および第三の実施の形態では、管体４は、ミストサウナ装置２に接続されたドレン管であったが、広く空調機器等に接続されたドレン管であってもよい。
【００４３】
また、第三の実施の形態に示す配管ボックス５は、第二の実施の形態と同様に、管体４としてドレン管を配管するためのものであるが、管体４として給水管を配管するためのものであってもよい。また、配管ボックス５に給水管からなる管体を一本通すのではなく、二本通し、一方に水、もう一方に湯を流すようにしてもよく、また、これら二本の管体を用いて、追焚き用の湯を往復させてもよい。
【００４４】
また、第一の実施の形態においては、配管ボックス５（詳細には、ボックス本体６）の下部に引込口６ａが設けられて、管体４は、下方から引込口６ａに引き込まれるが、引込口６ａの位置を変えて、上方とか左右方向等の他の方向から引き込まれるようにしてもよい。同様に、第二および第三の実施の形態においては、配管ボックス５（詳細には、ボックス本体６）の上部に引込口６ａが設けられて、管体４は、上方から引込口６ａに引き込まれるが、引込口６ａの位置を変えて、下方とか左右方向等の他の方向から引き込まれるようにしてもよい。
【００４５】
また、第一の実施の形態においても、第二、第三の実施の形態と同様に、固定部材７には、ボックス本体６の回動を所定範囲に規制する規制部が設けられても構わない。
【図面の簡単な説明】
【００４６】
【図１】この発明の第一の実施の形態の、側断面図である。
【図２】同じく、要部背面図である。
【図３】同じく、給水器具をエルボーに接続した正面図である。
【図４】同じく、給水器具の向きを調節した正面図である。
【図５】この発明の第二の実施の形態の、全体を示す側断面図である。
【図６】同じく、要部側断面図である。
【図７】同じく、一部を破断した要部側面図である。
【図８】同じく、要部背面図である。
【図９】同じく、図８におけるＡ−Ａ線による拡大断面図である。
【図１０】同じく、要部正面図である。
【図１１】この発明の第三の実施の形態の、全体を示す側断面図である。
【図１２】同じく、要部側断面図である。
【図１３】同じく、一部を破断した要部側面図である。
【図１４】同じく、要部正面図である。
【図１５】従来の水栓用ボックスを示す断面図である。
【符号の説明】
【００４７】
３  壁
３ａ  壁孔
３ｂ  裏面
４  管体
５  配管ボックス
６  ボックス本体
６ａ  引込口
６ｂ  開口
６ｃ  操作部
６ｄ  鞘管接続部
６ｅ  収納空間
７  固定部材
７ａ  固定部
７ｂ  支持部
７ｇ  規制部
８  操作体
８ａ  挟持部
１１  鞘管
２２  エルボー（継手）
２３  ロックリング（操作体）
【図１】
0004989438.tif 000002
【図２】
0004989438.tif 000003
【図３】
0004989438.tif 000004
【図４】
0004989438.tif 000005
【図５】
0004989438.tif 000006
【図６】
0004989438.tif 000007
【図７】
0004989438.tif 000008
【図８】
0004989438.tif 000009
【図９】
0004989438.tif 000010
【図１０】
0004989438.tif 000011
【図１１】
0004989438.tif 000012
【図１２】
0004989438.tif 000013
【図１３】
0004989438.tif 000014
【図１４】
0004989438.tif 000015
【図１５】
0004989438.tif 000016